(57)【要約】【課題】光ディスク上に分割されて記録されたファイルのうち再生の際に不具合を生じるおそれのあるファイルをディスク解析時に抽出することができる光ディスク再生装置および光ディスク再生方法を提供する。【解決手段】本発明に係る光ディスク再生装置は、光ディスクが装填されると、光ディスクから読み出された信号から前記光ディスクに記録されたディレクトリおよびファイルの階層構造および内容を解析するディスク解析部３２と、ディスク解析部３２により、解析されたファイルの情報を含む前記光ディスクの解析結果を書き込まれるファイルバッファと、を備える。ディスク解析部３２は、ファイルの分割状態を取得する分割状態取得部３４と、分割状態が再生に支障をきたすおそれがない状態であるか否かを判定するファイル登録判定部３５と、分割状態が再生に支障をきたすおそれがない状態であると前記ファイルの情報をファイルバッファに登録する解析結果書込み部３６と、を有する。【選択図】  図３
2010272160.tif 000002
【特許請求の範囲】
【請求項１】
光ディスクが装填されると、前記光ディスクから読み出された信号から前記光ディスクに記録されたディレクトリおよびファイルの階層構造および内容を解析するディスク解析部と、
前記ディスク解析部により、解析されたファイルの情報を含む前記光ディスクの解析結果を書き込まれる解析結果記憶部と、
を備え、
前記ディスク解析部は、
ファイルの分割状態を取得する分割状態取得部と、
前記分割状態が再生に支障をきたすおそれがない状態であるか否かを判定するファイル登録判定部と、
前記分割状態が再生に支障をきたすおそれがない状態であると前記ファイルの情報を前記解析結果記憶部に登録する解析結果書込み部と、
を有することを特徴とする光ディスク再生装置。
【請求項２】
前記分割状態取得部は、
前記ファイルの分割数を取得し、
前記ファイル登録判定部は、
前記分割状態取得部により取得された分割数が所定の数より多いと、前記分割状態が再生に支障をきたすおそれがある状態であると判定する、
請求項１記載の光ディスク再生装置。
【請求項３】
前記ファイルは、分割されて複数のファイル要素により構成され、
前記ファイル登録判定部は、
連続する前記ファイル要素の前記ファイルの終端側のファイル要素が記録された論理アドレスが、前記ファイルの先頭側のファイル要素が記録された論理アドレスよりも小さい値であると、前記分割状態が再生に支障をきたすおそれがある状態であると判定する、
請求項１記載の光ディスク再生装置。
【請求項４】
前記ファイルは、分割されて複数のファイル要素により構成され、
前記ファイル登録判定部は、
前記ファイル要素に所定のサイズより小さいサイズのものがあると、前記分割状態が再生に支障をきたすおそれがある状態であると判定する、
請求項１記載の光ディスク再生装置。
【請求項５】
前記ファイル登録判定部により前記分割状態が再生に支障をきたすおそれがある状態であると判定されたファイルがあると、その旨の情報を表示部に表示させる通知部、
をさらに備えた請求項１ないし４のいずれか１項に記載の光ディスク再生装置。
【請求項６】
光ディスクを装填するステップと、
前記光ディスクから読み出された信号から前記光ディスクに記録されたディレクトリおよびファイルの階層構造および内容を解析するステップと、
前記光ディスクに記録されたディレクトリおよびファイルの階層構造および内容を解析するステップで解析されたファイルの情報を含む前記光ディスクの解析結果を解析結果記憶部に登録するステップと、
を有し、
前記光ディスクに記録されたディレクトリおよびファイルの階層構造および内容を解析するステップは、
ファイルの分割状態を取得するステップと、
前記分割状態が再生に支障をきたすおそれがない状態であるか否かを判定するステップと、
前記分割状態が再生に支障をきたすおそれがない状態であると前記ファイルの情報を前記解析結果記憶部に記憶させるステップと、
を有することを特徴とする光ディスク再生方法。
【請求項７】
前記分割状態が再生に支障をきたすおそれがない状態であるか否かを判定するステップで前記分割状態が再生に支障をきたすおそれがある状態であると判定されたファイルがあると、その旨の情報を表示部に表示させるステップ、
をさらに有する請求項６記載の光ディスク再生方法。
【発明の詳細な説明】
【技術分野】
【０００１】
本発明は、光ディスクのディスク解析を行う光ディスク再生装置および光ディスク再生方法に関する。
【背景技術】
【０００２】
従来、光ディスクに対してファイルを分割して記録する技術がある（たとえば特許文献１参照）。この種の技術によれば、光ディスク記録装置が一度に光ディスクに対して記録することができるデータサイズのほうが記録しようとする１つのファイルのデータサイズよりも小さくても、ファイルを分割することによって容易に光ディスクに記録することができる。
【０００３】
ところで、最近ＣＤやＤＶＤなどの光ディスクの記録フォーマットとしてＵＤＦ（Universal Disk Format）形式が利用されるようになってきた。ＵＤＦの記録フォーマットは，光学式記録メディアの業界団体であるＯＳＴＡ（Optical Storage Technology Association）によって策定された光ディスクのフォーマットのひとつであり、オペレーティングシステムに依存しないファイルフォーマットである。ＵＤＦでは、１つのファイルを光ディスク上に分散して書き込むことを可能としている。
【０００４】
この種の光ディスク上にファイルを分割して記録する技術によれば、ユーザはファイルが分割されていることを意識せずにファイルを利用することができるようになっている。
【先行技術文献】
【特許文献】
【０００５】
【特許文献１】特開２００６−２４６４２２号公報
【発明の概要】
【発明が解決しようとする課題】
【０００６】
光ディスク上に分散して書き込まれた１つのファイル（以下、分割ファイルという）を再生する際には、光ディスク再生装置は、再生処理と並行して光ディスク上でのファイル検索処理を行う必要がある。このため、分割数が多くなると、データバッファのサイズによっては再生処理に対して検索処理が追いつかず、音とびや音途切れが発生する場合がある。
【０００７】
しかし、従来のディスク再生装置は、光ディスクが装填されると、再生の際に不具合を生じるおそれがある分割数が多いファイルをも認識するようにディスク解析を行う。このため、装填した光ディスクのディスク解析の結果、光ディスク再生装置は、ユーザに対し、この種の分割数が多いファイルを光ディスク上に存在するファイルの１つとして提示することになる。
【０００８】
ユーザは、再生を所望するファイルが分割されているか否かや、その分割数や、光ディスク再生装置が分割されたデータを検索しながらファイルの再生を行っていることを意識していない。このため、分割数が多いことが原因で音とびや音途切れなどの不具合が発生すると、ユーザは、この不具合の原因に思い至ることができずに光ディスク再生装置の性能に対して不満を抱いてしまう場合がある。
【０００９】
本発明は、上述した事情を考慮してなされたもので、光ディスク上に分割されて記録されたファイルのうち再生の際に不具合を生じるおそれのあるファイルをディスク解析時に抽出することができる光ディスク再生装置および光ディスク再生方法を提供することを目的とする。
【課題を解決するための手段】
【００１０】
本発明に係る光ディスク再生装置は、上述した課題を解決するために、光ディスクが装填されると、前記光ディスクから読み出された信号から前記光ディスクに記録されたディレクトリおよびファイルの階層構造および内容を解析するディスク解析部と、前記ディスク解析部により、解析されたファイルの情報を含む前記光ディスクの解析結果を書き込まれる解析結果記憶部と、を備え、前記ディスク解析部は、ファイルの分割状態を取得する分割状態取得部と、前記分割状態が再生に支障をきたすおそれがない状態であるか否かを判定するファイル登録判定部と、前記分割状態が再生に支障をきたすおそれがない状態であると前記ファイルの情報を前記解析結果記憶部に登録する解析結果書込み部と、を有することを特徴とするものである。
【００１１】
一方、本発明に係る光ディスク再生方法は、上述した課題を解決するために、光ディスクを装填するステップと、前記光ディスクから読み出された信号から前記光ディスクに記録されたディレクトリおよびファイルの階層構造および内容を解析するステップと、前記光ディスクに記録されたディレクトリおよびファイルの階層構造および内容を解析するステップで解析されたファイルの情報を含む前記光ディスクの解析結果を解析結果記憶部に登録するステップと、を有し、前記光ディスクに記録されたディレクトリおよびファイルの階層構造および内容を解析するステップは、ファイルの分割状態を取得するステップと、前記分割状態が再生に支障をきたすおそれがない状態であるか否かを判定するステップと、前記分割状態が再生に支障をきたすおそれがない状態であると前記ファイルの情報を前記解析結果記憶部に記憶させるステップと、を有することを特徴とする方法である。
【発明の効果】
【００１２】
本発明に係る光ディスク再生装置および光ディスク再生方法によれば、光ディスク上に分割されて記録されたファイルのうち再生の際に不具合を生じるおそれのあるファイルをディスク解析時に抽出することができる。
【図面の簡単な説明】
【００１３】
【図１】本発明に係る光ディスク再生装置の一実施形態を示す概略的なブロック図。
【図２】再生に難があるファイルを登録除外することによりファイルバッファの記憶領域を有効利用する様子の一例を示す説明図。
【図３】主制御部のＣＰＵによる機能実現部の構成例を示す概略的なブロック図。
【図４】１つのファイルが光ディスクに分割して記録された様子の一例を示す説明図。
【図５】分散ファイルが光ディスクに順に記録されている様子の一例を示す説明図。
【図６】分散ファイルが光ディスクにランダムに記録されている様子の一例を示す説明図。
【図７】分散ファイルが所定の数より多い分割数で分割されて光ディスクに記録されている様子の一例を示す説明図。
【図８】ファイルを構成するファイル要素の少なくとも一つのサイズが所定のサイズより小さくなるよう分割されて分散ファイルが光ディスク１に記録されている様子の一例を示す説明図。
【図９】図１に示す光ディスク再生装置の主制御部により、光ディスク上に分割されて記録されたファイルのうち再生の際に不具合を生じるおそれのあるファイルをディスク解析時に抽出する際の手順を示すフローチャート。
【図１０】（ａ）は分割数が所定の数より多いファイルが存在する場合の表示例を示す説明図、（ｂ）は分割数が所定の数以下かつ再生に支障がある分割状態のファイルが存在する場合の表示例を示す説明図。
【図１１】図９のステップＳ７でＣＰＵにより実行されるディスク解析処理の手順を示すサブルーチンフローチャート。
【図１２】ファイルエントリのデータ構造の一例を示す説明図。
【発明を実施するための形態】
【００１４】
本発明に係る光ディスク再生装置および光ディスク再生方法の実施の形態について、添付図面を参照して説明する。
【００１５】
図１は、本発明に係る光ディスク再生装置の一実施形態を示す概略的なブロック図である。なお、本発明は、分割されたファイルが記録された光ディスクを再生可能な電子機器に適用することができる。この種の光ディスクとしては、ＣＤ−Ｒ／ＲＷ／ＲＡＭ／ＲＯＭやＤＶＤ−Ｒ／ＲＷ／ＲＡＭ／ＲＯＭなど種々のものを利用することができる。本実施形態では、ＵＤＦで記録された光ディスクを再生可能な光ディスク再生装置について説明する。
【００１６】
図１に示すように、光ディスク再生装置１０は、ピックアップ部１１、ピックアップ制御部２０、主制御部３０、解析結果記憶部としてのファイルバッファ３１、表示部４０およびネットワーク接続部５０を有する。
【００１７】
ピックアップ部１１は、光ディスク１にレーザを集光する対物レンズ１２と、光ディスク１の記録面に対して垂直（厚さ）方向（フォーカス方向）および水平（半径）方向（トラッキング方向）に対物レンズ１２を移動させる対物レンズ移動部１３と、光ディスク１の反射光を検出しこの反射光に応じた出力を行う反射光検出部１４と、を少なくとも有する。対物レンズ移動部１３は、ピックアップ制御部２０により制御される。この対物レンズ移動部１３は、対物レンズ１２の移動に磁力を用いる場合、コイルやマグネットにより構成することができる。
【００１８】
反射光検出部１４は、光ディスク１の反射光を受光可能な位置に一面に並べられた複数の光検出セル（フォトダイオードなど）により構成される。この光検出セルは、光ディスク１の記録面によるレーザ反射光をそれぞれの位置で受光し、受光した光の強度に応じた出力をそれぞれ行う。
【００１９】
ピックアップ制御部２０は、光ディスク１の記録面によるレーザ反射光の情報を反射光検出部１４から受けてフォーカスエラー（ＦＥ）信号およびトラッキングエラー（ＴＥ）信号を生成し、光ディスク１に集光されるレーザがジャストフォーカス（記録面にレーザの焦点があった状態）およびジャストトラック（レーザがトラック中心に位置した状態）の位置となるよう対物レンズ１２を移動させるように対物レンズ移動部１３を制御する。
【００２０】
データ再生回路２１は、ＰＬＬ（Phase Locked Loop）制御回路２２から受けた再生用クロック信号にもとづき、光ディスク１の記録データを再生する。
【００２１】
主制御部３０は、ＣＰＵ、ＲＡＭおよびＲＯＭをはじめとする記憶媒体などにより構成され、この記憶媒体に記憶されたプログラムに従って、光ディスク再生装置１０の処理動作を制御する。
【００２２】
主制御部３０のＣＰＵは、ＲＯＭをはじめとする記憶媒体に記憶された再生難ファイル抽出プログラムおよびこのプログラムの実行のために必要なデータをＲＡＭへロードし、このプログラムに従って、光ディスク上に分割されて記録されたファイルのうち再生の際に不具合を生じるおそれのあるファイルをディスク解析時に抽出する処理を実行する。
【００２３】
主制御部３０のＲＡＭは、ＣＰＵが実行するプログラムおよびデータを一時的に格納するワークエリアを提供する。
【００２４】
主制御部３０のＲＯＭをはじめとする記憶媒体は、光ディスク再生装置１０の起動プログラム、再生難ファイル抽出プログラムや、これらのプログラムを実行するために必要な各種データを記憶する。
【００２５】
なお、ＲＯＭをはじめとする記憶媒体は、磁気的もしくは光学的記録媒体または半導体メモリなどの、ＣＰＵにより読み取り可能な記録媒体を含んだ構成を有し、これら記憶媒体内のプログラムおよびデータの一部または全部は電子ネットワークを介してダウンロードされるように構成してもよい。
【００２６】
解析結果記憶部としてのファイルバッファ３１は、主制御部３０の制御に従って、ディスク解析の結果、分割状態が再生に支障をきたすおそれがある状態であると判定されたファイルを除くファイルおよびディレクトリの階層構造および内容を記憶する。
【００２７】
図２は、再生に難があるファイルを登録除外することによりファイルバッファ３１の記憶領域を有効利用する様子の一例を示す説明図である。
【００２８】
ファイルバッファ３１には記憶容量に上限があるため、ファイルバッファ３１に登録可能なディレクトリおよびファイル数の合計にも上限の数（たとえば５１０個など）がある。この上限の数が、光ディスク再生装置１０が光ディスク１の装填時のディスク解析時に認識可能なディレクトリおよびファイルの認識上限数となる。認識上減数があることから、再生に難があるファイルがこのファイルバッファ３１に登録されてしまうと、ファイルバッファ３１の有限な記憶容量を無駄に浪費してしまうことになってしまう。そこで、本実施形態に係る光ディスク再生装置１０は、図２に示すように、分割状態が再生に支障をきたすおそれがある状態であると判定されたファイルについてはファイルバッファ３１への登録を行わないよう構成される。
【００２９】
表示部４０は、たとえば液晶ディスプレイやＯＬＥＤ（Organic Light Emitting Diode）ディスプレイなどの一般的な表示出力装置により構成され、主制御部３０の制御に従って光ディスク再生装置１０の動作状態を表示する。また、表示部４０は、主制御部３０の制御に従って、ディスク解析において分割状態が再生に支障をきたすおそれがある状態であると判定されたファイルがあると、その旨の情報を表示する。
【００３０】
ネットワーク接続部５０は、ネットワークの形態に応じた種々の情報通信用プロトコルを実装する。ネットワーク接続部５０は、この各種プロトコルに従って光ディスク再生装置１０と他の電気機器とを接続する。この接続には、電子ネットワークを介した電気的な接続などを適用することができる。ここで電子ネットワークとは、電気通信技術を利用した情報通信網全般を意味し、無線／有線ＬＡＮ（Local Area Network）やインターネット網のほか、電話通信回線網、光ファイバ通信ネットワーク、ケーブル通信ネットワークおよび衛星通信ネットワークなどを含む。
【００３１】
図３は、主制御部３０のＣＰＵによる機能実現部の構成例を示す概略的なブロック図である。なお、この機能実現部は、ＣＰＵを用いることなく回路などのハードウエアロジックによって構成してもよい。
【００３２】
図３に示すように、主制御部３０のＣＰＵは、再生難ファイル抽出プログラムによって、少なくともディスク解析部３２および通知部３３として機能する。この各部３２および３３は、ＲＡＭの所要のワークエリアを、データの一時的な格納場所として利用する。
【００３３】
ディスク解析部３２は、光ディスク１が装填されると、光ディスク１から読み出された信号から光ディスク１に記録されたディレクトリおよびファイルの階層構造および内容を解析する。ディスク解析部３２は、分割状態取得部３４、ファイル登録判定部３５および解析結果書込み部３６を有する。
【００３４】
通知部３３は、ディスク解析部３２のファイル登録判定部３５により分割状態が再生に支障をきたすおそれがある状態であると判定されたファイルがあると、その旨の情報を表示部４０に表示させる。
【００３５】
分割状態取得部３４は、光ディスク１に記録されたファイルの分割状態を取得する。
【００３６】
ファイル登録判定部３５は、分割状態取得部３４からファイルの分割状態の情報を受け、分割状態が再生に支障をきたすおそれがない状態であるか否かを判定する。
【００３７】
解析結果書込み部３６は、分割状態が再生に支障をきたすおそれがない状態であると、ファイルの情報をファイルバッファ３１に登録する。
【００３８】
ここで、光ディスク１に分割して記録されたファイルのうち、再生に支障をきたすおそれがあるファイルについて簡単に説明する。
【００３９】
図４は、１つのファイルが光ディスク１に分割して記録された様子の一例を示す説明図である。また、図５は分散ファイルが光ディスク１に順に記録されている様子の一例を示す説明図である。
【００４０】
図４に示すように、ＩＳＯ９６６０やＵＤＦでは１つのファイルを光ディスク上に分散して書き込むことを許可している。分割されたファイルを再生する場合、光ディスク再生装置１０は、再生処理と並行して光ディスク１上でのファイル検索処理を行うことになる。図５に示すように分割数が所定の数（たとえば１２７個など。図７参照）以下で、かつ光ディスク１に順に記録されている場合、ファイル検索処理に要する時間が少なくてすむ。このため、図５に示すような分割状態のファイルは、再生に支障がない分割状態のファイルであるといえる。
【００４１】
ここで、「分散ファイルが光ディスク１に順に記録されている」とは、ファイルが分割されて複数のファイル要素により構成されており、連続するファイル要素のファイルの終端側のファイル要素が記録された論理アドレスが、ファイルの先頭側のファイル要素が記録された論理アドレスよりも大きい値であることをいうものとする。
【００４２】
図６は、分散ファイルが光ディスク１にランダムに記録されている様子の一例を示す説明図である。
【００４３】
図６に示すように分散ファイルが光ディスク１にランダムに記録されていると、ファイル検索処理に要する時間が長くなってしまう。このため、図６に示すような分割状態のファイルは、再生に支障がある分割状態のファイル（非対応ファイル）であるといえる。
【００４４】
ここで、「分散ファイルが光ディスク１にランダムに記録されている」とは、ファイルが分割されて複数のファイル要素により構成されており、連続するファイル要素のファイルの終端側のファイル要素が記録された論理アドレスが、ファイルの先頭側のファイル要素が記録された論理アドレスよりも小さい値であることをいうものとする。
【００４５】
図７は、分散ファイルが所定の数より多い分割数で分割されて光ディスク１に記録されている様子の一例を示す説明図である。
【００４６】
図７に示すように分散ファイルが所定の数より多い分割数で分割されて光ディスク１に記録されていると、ファイル検索処理に要する時間が長くなってしまうほか、ファイル検索処理にあたり必要となる再生用バッファの容量が多くなってしまう。このため、図７に示すような分割状態のファイルは、再生に支障がある分割状態のファイルであるといえる。以下の説明では、所定の数が１２７である場合の例について示す。
【００４７】
図８は、ファイルを構成するファイル要素の少なくとも一つのサイズが所定のサイズより小さくなるよう分割されて分散ファイルが光ディスク１に記録されている様子の一例を示す説明図である。
【００４８】
図８に示すように分割ファイルを構成するファイル要素のサイズが所定のサイズより小さい場合、ファイル検索処理により再生用バッファに蓄積されるデータよりも再生処理により再生出力されるデータのほうが多くなってしまい、バッファアンダーランの状態に陥る場合がある。このため、図８に示すような分割状態のファイルは、再生に支障がある分割状態のファイルであるといえる。以下の説明では、所定のサイズが２０セクタである場合の例について示す。
【００４９】
次に、本実施形態に係る光ディスク再生装置１０の動作の一例について説明する。
【００５０】
図９は、図１に示す光ディスク再生装置１０の主制御部３０により、光ディスク上に分割されて記録されたファイルのうち再生の際に不具合を生じるおそれのあるファイルをディスク解析時に抽出する際の手順を示すフローチャートである。図９において、Ｓに数字を付した符号は、フローチャートの各ステップを示す。なお、以下の説明では、光ディスク１がＵＤＦで記録されている場合の例について示す。
【００５１】
この手順は、分割されたファイルが記録された光ディスク１が光ディスク再生装置１０に装填された時点でスタートとなる。
【００５２】
まず、ステップＳ１において、ディスク解析部３２は、装填された光ディスク１がＵＤＦ形式で記録されたディスクである旨の情報を取得する。
【００５３】
次に、ステップＳ２において、ディスク解析部３２は、ＡＶＤＰ（Anchor Volume Descriptor Pointer）を解析し、ＶＤＳ（Volume Descriptor Sequence）の位置を示すポインタの情報を取得してＶＤＳの位置を特定する。
【００５４】
次に、ステップＳ３において、ディスク解析部３２は、ＶＤＳを解析し、ＶＤＳ領域内の記述子からＰＤ（Partition Descriptor）の位置を特定してディスク解析に必要なパーティション開始アドレスを取得する。また、ディスク解析部３２は、ＶＤＳを解析し、ＶＤＳ領域内の記述子からＬＶＤ（Logical Volume Descriptor）の位置を特定してディスク解析に必要なＶＡＴ（仮想割付テーブル、Virtual Allocation Table）が存在するか否かの情報を取得する。
【００５５】
次に、ステップＳ４において、ディスク解析部３２は、ＬＶＤの解析結果にもとづいてＶＡＴが存在するか否かを判定する。ＶＡＴが存在する場合はステップＳ５に進む。一方、ＶＡＴが存在しない場合はステップＳ６に進む。
【００５６】
次に、ステップＳ５において、ディスク解析部３２は、ＶＡＴの情報を取得する。
【００５７】
次に、ステップＳ６において、ディスク解析部３２は、ＦＳＤ（File Set Descriptor）を解析し、ルートディレクトリのファイルエントリの位置の情報を取得する。具体的には、ＶＡＴがない場合は、ＰＤから取得したパーティション開始アドレスから順にルートディレクトリのファイルエントリ（ＦＥ：File Entry）が記載されたＦＳＤを探し、ルートディレクトリのファイルエントリの位置の情報を取得する。ＶＡＴがある場合は、ＦＳＤにはルートディレクトリのファイルエントリ（ＦＥ：File Entry）位置が仮想ブロック番号で示されているため、この仮想ブロック番号でＶＡＴを検索してルートディレクトリのファイルエントリの論理ブロック番号を取得する。
【００５８】
次に、ステップＳ７において、ディスク解析部３２は、ルートディレクトリのファイルエントリで示されているルートディレクトリ以下の子ディレクトリ／ファイルのエントリ位置を示す情報制御ブロック（ＩＣＢ：Information Control Block）群からディスク内のディレクトリ／ファイル構成の解析を行いながら、分割状態が再生に支障をきたすおそれがある状態のファイル（非対応ファイル）をファイルバッファ３１に登録しないようディスク解析処理を実行する。
【００５９】
次に、ステップＳ８において、ディスク解析部３２は、ディスク解析において分割状態が再生に支障をきたすおそれがある状態のファイルが存在したか否かを判定する。分割状態が再生に支障をきたすおそれがある状態のファイルが存在した場合、ステップＳ９に進む。一方、分割状態が再生に支障をきたすおそれがある状態のファイルがない場合は、一連の手順は終了となる。
【００６０】
次に、ステップＳ９において、通知部３３は、分割状態が再生に支障をきたすおそれがある状態のファイルが存在する旨の情報を表示部４０に表示させる。
【００６１】
図１０は、通知部３３により表示部４０に表示される情報の一例を示す説明図であり、（ａ）は分割数が所定の数より多いファイルが存在する場合（図７参照）の表示例を示す説明図、（ｂ）は分割数が所定の数以下かつ再生に支障がある分割状態のファイルが存在する場合（図６および図８参照）の表示例を示す説明図である。
【００６２】
図１０に示すように、分割状態が再生に支障をきたすおそれがある状態のファイルが存在する場合、その旨の情報が通知部３３により表示部４０を介してユーザに通知される。この結果、ユーザはファイルの分割条件により認識対象外となったファイル（非対応ファイル）が存在することを認識することができる。
【００６３】
以上の手順により、光ディスク上に分割されて記録されたファイルのうち再生の際に不具合を生じるおそれのあるファイルをディスク解析時に抽出することができる。
【００６４】
続いて、分割状態が再生に支障をきたすおそれがある状態のファイル（非対応ファイル）をファイルバッファ３１に登録しないようディスク解析処理を実行する際の手順を説明する。
【００６５】
図１１は、図９のステップＳ７でＣＰＵにより実行されるディスク解析処理の手順を示すサブルーチンフローチャートである。図１１において、Ｓに数字を付した符号は、フローチャートの各ステップを示す。また、図１２は、ファイルエントリのデータ構造の一例を示す説明図である。
【００６６】
ステップＳ７０１において、ディスク解析部３２は、ファイルエントリの情報を取得する。
【００６７】
次に、ステップＳ７０２において、ディスク解析部３２は、ファイルエントリの情報にもとづいてファイルタイプの情報を取得する。
【００６８】
次に、ステップＳ７０３において、ディスク解析部３２は、ファイルタイプがファイルであるかディレクトリであるかを判定する。ファイルタイプがファイルである場合、ステップＳ７０４に進む。一方、ファイルタイプがファイルでない場合、すなわちディレクトリである場合は、ステップＳ７１７に進む。
【００６９】
次に、ステップＳ７０４において、ディスク解析部３２は、ファイルエントリの情報にもとづいてファイルサイズの情報を取得する。
【００７０】
次に、ステップＳ７０５において、ディスク解析部３２は、１分割データのサイズ情報を取得する。本実施形態では、１分割データのサイズが１６バイトである場合の例について説明する。
【００７１】
分割データは、ファイル要素ごとに存在する。分割データには、各ファイル要素のサイズ、先頭アドレスおよびファイルの先頭から何個目のファイル要素であるかの情報などが記載されている。
【００７２】
次に、ステップＳ７０６において、ディスク解析部３２は、分割数データ長を取得する。分割数データ長は、ファイルエントリ内でひとまとめに記録されている分割データ群全体のサイズをあらわす。たとえば図１２に示した分割数データ長は「８０」「０５」「００」「００」で示されている。これは、分割データ群全体のサイズが０ｘ０００００５８０バイト、すなわち１４０８バイトであることを意味する。
【００７３】
次に、ステップＳ７０７において、分割状態取得部３４は、分割数データ長を１分割データのサイズで除すことによりファイルの分割数を算出する。図１２に示す例では、分割数は１４０８／１６＝８８となる。分割状態取得部３４は、分割数の情報をＲＡＭの所要のワークエリアに記憶させる。
【００７４】
次に、ステップＳ７０８において、ファイル登録判定部３５は、ファイルが所定の数（たとえば１２７）より多い分割数で分割されて光ディスク１に記録されているか否かを判定する。分割数が所定の数より多い場合は再生に支障がある分割状態のファイルであると判定し、ステップＳ７１６に進む。一方、分割数が所定の数以下である場合はステップＳ７０９に進む。
【００７５】
次に、ステップＳ７０９において、分割状態取得部３４は、分割データの内容（分割情報）を取得することにより、少なくとも各ファイル要素のサイズ、先頭アドレスおよびファイルの先頭から何個目のファイル要素であるかの情報を取得する。また、分割状態取得部３４は、取得した先頭アドレスの情報をＲＡＭの所要のワークエリアに記憶させる。
【００７６】
次に、ステップＳ７１０において、ファイル登録判定部３５は、ＲＡＭの所要のワークエリアに記憶された前回注目したファイル要素の先頭アドレスと現在注目しているファイル要素の先頭アドレスとを比較し、現在注目しているファイル要素の先頭アドレスが前回注目したファイル要素の先頭アドレスより大きいか否かを判定する。
【００７７】
現在注目しているファイル要素の先頭アドレスが前回注目したファイル要素の先頭アドレスより小さい場合、すなわち「連続するファイル要素のファイルの終端側のファイル要素が記録された論理アドレスが、ファイルの先頭側のファイル要素が記録された論理アドレスよりも小さい値である」場合は、再生に支障がある分割状態のファイルであると判定し、ステップＳ７１６に進む。一方、現在注目しているファイル要素の先頭アドレスが前回注目したファイル要素の先頭アドレスより大きい場合は、ステップＳ７１１に進む。
【００７８】
次に、ステップＳ７１１において、ファイル登録判定部３５は、現在注目しているファイル要素のサイズが所定のサイズ以上であるか否かを判定する。所定のサイズより小さい場合は、再生に支障がある分割状態のファイルであると判定し、ステップＳ７１６に進む。一方、所定のサイズ以上である場合は、ステップＳ７１２に進む。
【００７９】
次に、ステップＳ７１２において、ファイル解析部は、現在注目しているファイル要素の分割データの内容（分割情報）をＲＡＭの所要のワークエリアに記憶させる。これは、ファイルの再生時の利便性を考慮して１つのファイルを構成する全てのファイル要素の分割情報をひとまとめにしておくためである。以下の説明では、このひとまとめの情報を分割テーブルというものとする。
【００８０】
次に、ステップＳ７１３において、ファイル解析部は、ＲＡＭの所要のワークエリアに記憶された分割数から１を減じてあらたな分割数とする。
【００８１】
次に、ステップＳ７１４において、ファイル解析部は、ＲＡＭの所要のワークエリアに記憶されたあらたな分割数が０であるか否かを判定する。あらたな分割数が０である場合は、現在注目しているファイルの解析が終了したと判定し、ステップＳ７１５に進む。一方、新たな分割数が０でない場合は、現在注目しているファイルにはまだ解析していないファイル要素があると判定し、ステップＳ７０９に戻りふたたび次のファイル要素についての解析を行う。
【００８２】
次に、ステップＳ７１５において、解析結果書込み部３６は、ＲＡＭの所要のワークエリアに記憶された解析数に１を加える。このステップおよびステップＳ７１８を実行していなかった場合は、解析結果書込み部３６は、ＲＡＭの所要のワークエリアに解析数を記憶する領域を設けて１を書き込む。また、解析結果書込み部３６は、現在注目しているファイルの情報をファイルバッファ３１に登録し、ステップＳ７１９に進む。
【００８３】
一方、ステップＳ７０８、ステップＳ７１０およびステップＳ７１１のいずれかにおいて再生に支障がある分割状態のファイルであると判定されると、ステップＳ７１６において、解析結果書込み部３６は、ＲＡＭの所要のワークエリアに記憶された非対応ファイル数に１を加え、ステップＳ７１９に進む。初めてこのステップを実行する場合は、解析結果書込み部３６は、ＲＡＭの所要のワークエリアに非対応ファイル数を記憶する領域を設けて１を書き込む。このとき、注目しているファイルの情報はファイルバッファ３１には登録されない。
【００８４】
他方、ステップＳ７０３においてファイルタイプがディレクトリであると判定された場合、ステップＳ７１７において、ディスク解析部３２は、このディレクトリを解析する。
【００８５】
次に、ステップＳ７１８において、解析結果書込み部３６は、ＲＡＭの所要のワークエリアに記憶された解析数に１を加える。このステップおよびステップＳ７１５を実行していなかった場合は、解析結果書込み部３６は、ＲＡＭの所要のワークエリアに解析数を記憶する領域を設けて１を書き込む。また、解析結果書込み部３６は、現在注目しているディレクトリの情報をファイルバッファ３１に登録する。
【００８６】
次に、ステップＳ７１９において、ディスク解析部３２は、ＲＡＭの所要のワークエリアに記憶された解析数がファイルバッファ３１の認識上限数（たとえば５１０など）以上であるか否かを判定する。解析数がファイルバッファ３１の認識上限数以上である場合は、これ以上ディスク解析を行ってもファイルバッファ３１に登録することができないため、一連の手順は終了となる。一方、解析数がファイルバッファ３１の認識上限数より少ない場合は、ステップＳ７２０に進む。
【００８７】
次に、ステップＳ７２０において、ディスク解析部３２は、ＲＡＭの所要のワークエリアに記憶された解析数と非対応ファイル数の合計が、光ディスク１に記憶された全てのファイル数以上であるか否かを判定する。解析数と非対応ファイル数の合計が全ファイル数以上である場合は、光ディスク１に記憶された全てのディレクトリおよびファイルについて解析が終了したと判定し、一連の手順は終了となる。一方、解析数と非対応ファイル数の合計が全ファイル数より少ない場合は、ステップＳ７０１にもどり引き続き次のファイルのファイルエントリの情報を取得する。
【００８８】
以上の手順により、分割状態が再生に支障をきたすおそれがある状態のファイル（非対応ファイル）をファイルバッファ３１に登録しないようディスク解析処理を実行することができる。
【００８９】
本実施形態に係る光ディスク再生装置１０は、光ディスク上に分割されて記録されたファイルのうち、分割状態が再生に支障をきたすおそれがある状態のファイル（非対応ファイル）をディスク解析時に抽出し、この種のファイルをファイルバッファ３１に登録しないようにする。このため、再生時に分割状態が原因で音とびや音途切れなどの不具合が発生するファイルはそもそも認識されることがない。したがって、本実施形態に係る光ディスク再生装置１０は、分割状態が再生に支障をきたすおそれがある状態のファイルを再生されてしまうことによるユーザの不満を未然に防ぐことができる。
【００９０】
また、本実施形態に係る光ディスク再生装置１０は、分割状態が再生に支障をきたすおそれがある状態のファイル（非対応ファイル）をディスク解析時に抽出すると、通知部３３によりユーザに対して表示部４０を介してその旨の情報を通知する。このため、ユーザは光ディスク１に問題のあるファイルが存在することを認識することができる。
【００９１】
また、本実施形態に係る光ディスク再生装置１０は、分割状態が再生に支障をきたすおそれがある状態のファイル（非対応ファイル）をファイルバッファ３１に登録しないようにする。このため、限りあるファイルバッファ３１の資源を他の再生可能なファイルのために利用することができる。
【００９２】
なお、本発明は上記実施形態そのままに限定されるものではなく、実施段階ではその要旨を逸脱しない範囲で構成要素を変形して具体化できる。また、上記実施形態に開示されている複数の構成要素の適宜な組み合わせにより、種々の発明を形成できる。例えば、実施形態に示される全構成要素から幾つかの構成要素を削除してもよい。
【００９３】
また、本発明の実施形態では、フローチャートの各ステップは、記載された順序に沿って時系列的に行われる処理の例を示したが、必ずしも時系列的に処理されなくとも、並列的あるいは個別実行される処理をも含むものである。
【符号の説明】
【００９４】
１  光ディスク
１０  光ディスク再生装置
１１  ピックアップ部
１２  対物レンズ
１３  対物レンズ移動部
１４  反射光検出部
２０  ピックアップ制御部
２１  データ再生回路
２２  ＰＬＬ制御回路
３０  主制御部
３１  ファイルバッファ（解析結果記憶部）
３２  ディスク解析部
３３  通知部
３４  分割状態取得部
３５  ファイル登録判定部
３６  解析結果書込み部
４０  表示部
５０  ネットワーク接続部
【図１】
2010272160.tif 000003
【図２】
2010272160.tif 000004
【図３】
2010272160.tif 000005
【図４】
2010272160.tif 000006
【図５】
2010272160.tif 000007
【図６】
2010272160.tif 000008
【図７】
2010272160.tif 000009
【図８】
2010272160.tif 000010
【図９】
2010272160.tif 000011
【図１０】
2010272160.tif 000012
【図１１】
2010272160.tif 000013
【図１２】
2010272160.tif 000014